(57)【特許請求の範囲】
【請求項１】
タンクからガスを払い出す複数のポンプのうち、運転中の前記ポンプの台数である運転台数を取得する取得部と、
運転中の前記ポンプの合計負荷が、前記運転台数毎に定められた余裕値を運転中の前記ポンプの定格負荷の合計から減算した値に達した場合に、停止中の前記ポンプを新たに起動させるように制御する制御部と、
を有し、
前記余裕値は、前記運転台数が多いほど小さな値である、
ポンプ制御装置。
【請求項２】
前記余裕値は、前記運転中の前記ポンプの定格負荷の合計から、前記運転台数から１減算した台数分の前記ポンプの最大負荷の合計を減算した値である、請求項１に記載のポンプ制御装置。
【請求項３】
前記余裕値は、前記運転台数から１減算した台数分の前記ポンプの最大負荷の合計が、前記運転中の前記ポンプの前記定格負荷の合計以上となる場合は０である、請求項１又は請求項２に記載のポンプ制御装置。
【請求項４】
前記制御部は、運転中の前記ポンプがトリップし、残りの運転中の前記ポンプの合計負荷が、前記残りの運転中の前記ポンプの最大負荷の合計である許容値を超える場合は、運転中の全ての前記ポンプの運転を中止させるように制御する、
請求項１から請求項３の何れか１項に記載のポンプ制御装置。
【請求項５】
タンクからガスを払い出す複数のポンプと、
前記複数のポンプのうち、運転中の前記ポンプの台数である運転台数を取得する取得部と、
運転中の前記ポンプの合計負荷が、前記運転台数毎に定められた余裕値を運転中の前記ポンプの定格負荷の合計から減算した値に達した場合に、停止中の前記ポンプを新たに起動させるように制御する制御部と、
を有し、
前記余裕値は、前記運転台数が多いほど小さな値である、
ポンプ制御システム。
【請求項６】
コンピュータを、請求項１から請求項４の何れか１項に記載のポンプ制御装置の各部として機能させるためのポンプ制御プログラム。
【発明の詳細な説明】
【技術分野】
【０００１】
本発明は、ポンプ制御装置、ポンプ制御システム、及びポンプ制御プログラムに関する。
【背景技術】
【０００２】
従来、ＬＮＧタンクからＬＮＧを払い出しするＬＮＧポンプ制御システムが知られている（例えば、特許文献１参照。）。このＬＮＧポンプ制御システムは、ＬＮＧタンクの液位を測定する液位測定手段と、前記ＬＮＧの吐出圧力を測定する圧力測定手段と、前記ＬＮＧの吸込温度を測定する温度測定手段と、を備える。また、このＬＮＧポンプ制御システムは、前記液位測定手段で測定した液位と、前記圧力測定手段で測定した吐出圧力と、前記温度測定手段で測定した吸込温度とにもとづいて、前記ＬＮＧタンクから吐出したＬＮＧが気化しないで、当該ＬＮＧポンプ内の圧力が所定値以上であるか否かを判定する判定手段と、を備える。また、このＬＮＧポンプ制御システムは、判定手段によって、前記ＬＮＧタンクから吐出したＬＮＧが気化しないで、当該ＬＮＧポンプ内の圧力が所定値以上であると判定された場合に、前記ＬＮＧポンプに配設された前記ＬＮＧを吐出する吐出弁を開操作する制御手段を備える。
【０００３】
また、ＬＮＧタンクにＬＮＧを受入れ貯蔵し、貯蔵しているＬＮＧを所定の性状に調整し気化ガス、ＬＮＧとして供給するＬＮＧ基地も知られている（例えば、特許文献２参照。）。このＬＮＧ基地は、メタンガス又はメタンガスを主成分とする気化ガスを発電用ガスとして供給する発電用ガス供給系統と、外部から増熱剤を供給することなく、都市ガスとして使用可能な発熱量に調整された熱量調整ガス及び熱量調整ＬＮＧのうち少なくとも一方を供給する燃料供給系統と、を備える。
【０００４】
また、ＬＮＧ貯蔵タンク内に発生するＢＯＧの再液化装置も知られている（例えば、特許文献３参照。）。このＢＯＧの再液化装置は、ＬＮＧ貯蔵タンク内に発生するＢＯＧをコンプレッサーで昇圧後、熱交換器または再液化容器に導き、ＬＮＧ貯蔵タンクから熱交換器または再液化容器に払い出しＬＮＧを導くとともに該払い出しＬＮＧによって熱交換器または再液化容器内に導かれたＢＯＧを冷却して再液化を行う。そして、このＢＯＧの再液化装置は、再液化したＢＯＧをドラム内に一時的に貯え、昇圧ポンプによって昇圧した後に気化器に送出する。このＢＯＧの再液化装置は、ＬＮＧ貯蔵タンクから熱交換器または再液化容器に導かれる払い出しＬＮＧの一部が過冷却ＬＮＧとして、制御弁を介して昇圧ポンプのポンプサクションに導かれる。
【０００５】
また、１以上の供給先に電力を供給する複数台の供給装置の運転台数を制御する台数制御装置も知られている（例えば、特許文献４参照。）。この台数制御装置は、所定の起動条件に基づいて運転台数を増加させ、所定の停止条件に基づいて運転台数を減少させる台数制御部と、前記供給先のこれから先の電力負荷の傾向を予測する予測部と、電力負荷が増えないと予測された場合、運転台数が減少しやすくなるように前記停止条件を変更する条件変更部と、を備える。また、この台数制御装置は、電力および熱を発生させ工場へ供給するコージェネレーションシステム（ＣＧＳ）の運転台数を増加させるための電力負荷の閾値である起動設定値と、ＣＧＳの運転台数を減少させるための電力負荷の閾値である停止設定値が、予め運転台数毎に設定されており、ＣＧＳが運転中に電力負荷が増加し起動設定値を超えると、ＣＧＳの運転台数を増やすように台数制御を行う。
【先行技術文献】
【特許文献】
【０００６】
【特許文献１】特開２０１２−２３７３８４号公報
【特許文献２】国際公開２０１４−０１００３３号公報
【特許文献３】特開２００８−３０９１９５号公報
【特許文献４】特開２０１８−０７８６７９号公報
【発明の概要】
【発明が解決しようとする課題】
【０００７】
ところで、ＬＮＧ（液化天然ガス）又はＬＰＧ（液化石油ガス）等のガスの払い出しのために用いるポンプの運転中に、負荷上昇に伴い新たにポンプを起動させる場合、当該新たに起動させるポンプは、運転中のポンプの合計負荷が定格負荷の合計に達した場合に起動を開始すれば、コストデメリットが発生しない。しかし、運転中のポンプの合計負荷を上げると、何れかのポンプがトリップした場合に、残りのポンプの負荷が許容値を超える可能性がある。そこで現状は、運転中のポンプの合計負荷が、定格負荷の合計から一定値を減算した値に達した場合に、ポンプを新たに起動させている。このため、必要以上にポンプを運転する必要があり、コストデメリットが発生しているという課題があった。
【０００８】
本発明は、運転中のポンプの合計負荷が、定格負荷の合計から一定値を減算した値に達した場合に、ポンプを新たに起動する場合に比較して、ポンプの過剰な運転時間を削減しつつ、運転中のポンプの合計負荷が許容値を超えないようにすることができる、ポンプ制御装置、ポンプ制御システム、及びポンプ制御プログラムを提供することを目的とする。
【課題を解決するための手段】
【０００９】
上記目的を達成するために、本発明に係るポンプ制御装置は、タンクからガスを払い出す複数のポンプのうち、運転中の前記ポンプの台数である運転台数を取得する取得部と、運転中の前記ポンプの合計負荷が、前記運転台数毎に定められた余裕値を運転中の前記ポンプの定格負荷の合計から減算した値に達した場合に、停止中の前記ポンプを新たに起動させるように制御する制御部と、を含んで構成される。これにより、運転中のポンプの合計負荷が、定格負荷の合計から一定値を減算した値に達した場合に、ポンプを新たに起動する場合に比較して、ポンプの過剰な運転時間を削減しつつ、運転中のポンプの合計負荷が許容値を超えないようにすることができる。
【００１０】
また、前記余裕値は、前記運転台数が多いほど小さな値としてよい。これにより、運転台数が多くなるほど、ポンプの過剰な運転をより削減することができる。
【００１１】
また、前記余裕値は、前記運転中の前記ポンプの定格負荷の合計から、前記運転台数から１減算した台数分の前記ポンプの最大負荷の合計を減算した値としてよい。これにより、ポンプが１台トリップした場合でも、運転中のポンプの合計負荷が、運転台数から１減算した台数分のポンプの最大負荷を超えないようにすることができる。
【００１２】
また、前記余裕値は、前記運転台数から１減算した台数分の前記ポンプの最大負荷の合計が、前記運転中の前記ポンプの前記定格負荷の合計以上となる場合は０としてよい。これにより、ポンプが１台トリップした場合でも、過剰なポンプの運転を発生させずに、運転中のポンプの合計負荷が、運転台数から１減算した台数分のポンプの最大負荷を超えないようにすることができる。
【００１３】
また、前記制御部は、運転中の前記ポンプがトリップし、残りの運転中の前記ポンプの合計負荷が、前記残りの運転中の前記ポンプの最大負荷の合計である許容値を超える場合は、運転中の全ての前記ポンプの運転を中止させるように制御してよい。これにより、許容値を超えるようなポンプの運転を抑制することができる。
【００１４】
また、本発明に係るポンプ制御システムは、タンクからガスを払い出す複数のポンプと、前記複数のポンプのうち、運転中の前記ポンプの台数である運転台数を取得する取得部と、運転中の前記ポンプの合計負荷が、前記運転台数毎に定められた余裕値を運転中の前記ポンプの定格負荷の合計から減算した値に達した場合に、停止中の前記ポンプを新たに起動させるように制御する制御部と、を含んで構成される。
【００１５】
また、本発明に係るポンプ制御プログラムは、コンピュータを、上記ポンプ制御装置の各部として機能させるためのプログラムである。
【発明の効果】
【００１６】
本発明に係るポンプ制御装置、ポンプ制御システム、及びポンプ制御プログラムによれば、運転中のポンプの合計負荷が、定格負荷の合計から一定値を減算した値に達した場合に、ポンプを新たに起動する場合に比較して、ポンプの過剰な運転時間を削減しつつ、運転中のポンプの合計負荷が許容値を超えないようにすることができる。
【図面の簡単な説明】
【００１７】
【図１】ポンプ制御システムの概略構成を示す図である。
【図２】ポンプ制御装置におけるＣＰＵの機能構成の例を示すブロック図である。
【図３】余裕値データベースの一例を示す図である。
【図４】所定閾値の一例を示す図である。
【図５】起動処理の一例を示すフローチャートである。
【図６】中止処理の一例を示すフローチャートである。
【発明を実施するための形態】
【００１８】
以下、本発明の実施形態の一例を、図面を参照しつつ説明する。
【００１９】
図１に示すように、本実施形態に係るポンプ制御システム１は、タンクからＬＮＧ又はＬＰＧ等のガスを払い出す複数のポンプ１０Ａ、１０Ｂ、１０Ｃと、ポンプ制御装置２０と、を含む。以下、ポンプ１０Ａ、１０Ｂ、１０Ｃの各々を区別なく説明する場合には、単に「ポンプ１０」と表記する。なお、ポンプ制御システム１に含まれるポンプ１０の数は図１の例に限定されない。
【００２０】
ポンプ１０及びポンプ制御装置２０は、通信手段Ｎを介して相互に通信可能とされている。本実施形態では、通信手段Ｎとして、ＬＡＮ（Ｌｏｃａｌ  Ａｒｅａ  Ｎｅｔｗｏｒｋ）、又はＷＡＮ（Ｗｉｄｅ  Ａｒｅａ  Ｎｅｔｗｏｒｋ）等の企業内の通信回線を適用している。
【００２１】
図１に示すように、ポンプ制御装置２０は、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、ストレージ２４、及び通信Ｉ／Ｆ（Ｉｎｔｅｒｆａｃｅ）２７を有する。各構成は、バス２９を介して相互に通信可能に接続されている。
【００２２】
ＣＰＵ２１は、中央演算処理ユニットであり、各種プログラムを実行したり、各部を制御したりする。すなわち、ＣＰＵ２１は、ＲＯＭ２２又はストレージ２４からプログラムを読み出し、ＲＡＭ２３を作業領域としてプログラムを実行する。ＣＰＵ２１は、ＲＯＭ２２又はストレージ２４に記憶されているプログラムに従って、上記各構成の制御及び各種の演算処理を行う。本実施形態では、ＲＯＭ２２又はストレージ２４には、ポンプ制御プログラムとしての起動プログラム及び中止プログラムが格納されている。起動プログラム及び中止プログラムは、１つのプログラムであってもよいし、複数のプログラム又はモジュールで構成されるプログラム群であってもよい。
【００２３】
ＲＯＭ２２は、各種プログラム及び各種データを格納する。ＲＡＭ２３は、作業領域として一時的にプログラム又はデータを記憶する。ストレージ２４は、ＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）により構成され、オペレーティングシステムを含む各種プログラム、及び各種データを格納する。
【００２４】
通信Ｉ／Ｆ２７は、他の機器と通信するためのインタフェースであり、例えば、イーサネット（登録商標）、ＦＤＤＩ、Ｗｉ−Ｆｉ（登録商標）等の規格が用いられる。
【００２５】
以下では、ポンプ１０の１台あたりの最大負荷が１３０ｔ／ｈで、かつ定格負荷が１００ｔ／ｈである場合について説明する。しかし、ポンプ１０の１台あたりの最大負荷及び定格負荷はこれらの値に限定されない。
【００２６】
次に、ポンプ制御装置２０の機能構成について説明する。図２に示すように、ポンプ制御装置２０は、取得部２０Ａ及び制御部２０Ｂを備えている。さらに、ポンプ制御装置２０は、余裕値データベース２００を備えている。
【００２７】
取得部２０Ａは、複数のポンプ１０のうち、運転中のポンプ１０の台数である運転台数を取得する。例えば、取得部２０Ａは、各ポンプ１０から、通信Ｉ／Ｆ２７を介して、稼働状況を示す情報を取得することにより、運転台数を取得する。また、取得部２０Ａは、余裕値データベース２００から、運転台数に応じた余裕値を取得する。ここで、余裕値とは、運転中のポンプ１０の合計負荷が閾値に達した際に、新たにポンプ１０を起動させる場合における閾値を規定するための値である。本実施形態では、運転中のポンプ１０の定格負荷の合計に一定の余裕を持たせた値を閾値とするために、定格負荷の合計から減算する値を余裕値という。
【００２８】
図３に示すように、余裕値データベース２００は、運転台数毎に余裕値が記憶されたデータベースである。なお、余裕値データベース２００には、運転台数が７台以上の場合の余裕値が記憶されてもよい。図３に示すように、余裕値データベース２００で定める余裕値は、運転台数が多いほど小さな値である。具体的には、余裕値は、運転中のポンプ１０の定格負荷の合計から、運転台数から１減算した台数分のポンプ１０の最大負荷の合計を減算した値である。例えば、運転台数が３台の場合、３台分のポンプ１０の定格負荷の合計が３００ｔ／ｈであり、２台分のポンプ１０の最大負荷の合計が２６０ｔ／ｈであるため、余裕値は４０ｔ／ｈである。また、余裕値は、運転台数から１減算した台数分のポンプ１０の最大負荷の合計が、運転中のポンプ１０の定格負荷の合計以上となる場合は０ｔ／ｈである。例えば、運転台数が５台の場合、４台分のポンプ１０の最大負荷の合計が５２０ｔ／ｈであり、５台分のポンプ１０の定格負荷の合計である５００ｔ／ｈ以上であるため、余裕値は０ｔ／ｈである。運転中のポンプ１０の負荷の許容値を最大負荷として設定した場合、余裕値を上記のように定めることで、運転中のポンプ１０が１台トリップした場合であっても、残りの運転中のポンプ１０の合計負荷が許容値を超えないようにすることができる。
【００２９】
制御部２０Ｂは、運転中のポンプ１０の合計負荷が、取得部２０Ａが取得した余裕値を運転中のポンプ１０の定格負荷の合計から減算した値である所定閾値に達した場合に、通信Ｉ／Ｆ２７を介して、停止中のポンプ１０を新たに起動させるように制御する。
【００３０】
例えば、運転台数が３台の場合、３台分のポンプ１０の定格負荷の合計は３００ｔ／ｈであり、図３に示す例から余裕値は４０ｔ／ｈである。したがって、図４に示すように、ポンプ１０の合計負荷が、所定閾値である２６０ｔ／ｈに達した場合に、制御部２０Ｂは、停止中のポンプ１０を新たに起動させるように制御する。
【００３１】
また、制御部２０Ｂは、運転中のポンプ１０がトリップし、残りの運転中のポンプ１０の合計負荷が、残りの運転中のポンプ１０の最大負荷の合計である許容値を超える場合は、通信Ｉ／Ｆ２７を介して、運転中の全てのポンプ１０の運転を中止させるように制御する。図３に示したような余裕値を定めていたとしても、負荷が上昇中にポンプ１０がトリップした場合や、２台以上のポンプ１０がトリップした場合には、残りのポンプ１０の合計負荷が許容値を超える場合がある。そのため、上記制御は、許容値を超えるようなポンプ１０の運転を回避するための制御である。
【００３２】
次に、本実施形態に係るポンプ制御システム１の作用について説明する。
【００３３】
図５は、ポンプ制御装置２０による起動処理の流れを示すフローチャートである。ＣＰＵ２１がＲＯＭ２２又はストレージ２４から起動プログラムを読み出して、ＲＡＭ２３に展開して実行することにより、起動処理が行なわれる。
【００３４】
ステップＳ１００で、ＣＰＵ２１は、運転台数を取得する。
【００３５】
ステップＳ１０２で、ＣＰＵ２１は、ステップＳ１００で取得した運転台数に対応する余裕値を余裕値データベース２００から取得する。
【００３６】
ステップＳ１０４で、ＣＰＵ２１は、ステップＳ１０２で取得した余裕値を、運転中のポンプ１０の定格負荷の合計から減算した値を所定閾値として導出する。
【００３７】
ステップＳ１０６で、ＣＰＵ２１は、運転中のポンプ１０の合計負荷が、ステップＳ１０４で導出した所定閾値に達したか否かを判定する。合計負荷が所定閾値に達していない場合は、本ステップの判定を繰り返す（ステップＳ１０６：ＮＯ）。合計負荷が所定閾値に達すると（ステップＳ１０６：ＹＥＳ）、ＣＰＵ２１は、ステップＳ１０８に移行する。
【００３８】
ステップＳ１０８で、ＣＰＵ２１は、停止中のポンプ１０を新たに起動させるように制御し、本起動処理を終了する。本起動処理を繰り返し実行することにより、運転台数に応じた余裕値に基づいて導出された所定閾値を用いて、停止中のポンプ１０を新たに起動させるか否かを判定することができる。
【００３９】
図６は、ポンプ制御装置２０による中止処理の流れを示すフローチャートである。ＣＰＵ２１がＲＯＭ２２又はストレージ２４から中止プログラムを読み出して、ＲＡＭ１３に展開して実行することにより、中止処理が行なわれる。
【００４０】
ステップＳ２００で、ＣＰＵ２１は、通信Ｉ／Ｆ２７を介してポンプ制御装置２０の制御対象以外のポンプ１０（例えば他の基地のポンプ。以下、「対象外ポンプ」という。）の運転状況に関する情報を取得し、全ての対象外ポンプが運転を中止したか否かを判定する。全ての対象外ポンプが運転を中止した場合（ステップＳ２００：ＹＥＳ）、ＣＰＵ２１はステップＳ２０２へ移行する。一方、何れかの対象外ポンプが運転を中止していない場合（ステップＳ２００：ＮＯ）、ＣＰＵ２１はステップＳ２０４へ移行する。
【００４１】
ステップＳ２０２で、ＣＰＵ２１は、運転中のポンプ１０が１台トリップしても対象基地の運転を継続できるようにするため、運転台数が２台以上になるようにポンプ１０を制御し、本中止処理を終了する。
【００４２】
ステップＳ２０４で、ＣＰＵ２１は、運転中のポンプ１０がトリップしたか否かを判定する。運転中のポンプ１０がトリップした場合（ステップＳ２０４：ＹＥＳ）、ＣＰＵ２１は、ステップＳ２０６に移行する。一方、運転中のポンプ１０がトリップしていない場合（ステップＳ２０４：ＮＯ）、ＣＰＵ２１は本中止処理を終了する。
【００４３】
ステップＳ２０６で、ＣＰＵ２１は、運転台数が３台以上であるか否かを判定する。運転台数が３台以上である場合（ステップＳ２０６：ＹＥＳ）、ＣＰＵ２１はステップＳ２０８へ移行する。一方、運転台数が２台以下である場合（ステップＳ２０６：ＮＯ）、ＣＰＵ２１はステップＳ２１０へ移行する。
【００４４】
ステップＳ２０８で、ＣＰＵ２１は、停止中のポンプ１０を新たに起動させるように制御し、本中止処理を終了する。
【００４５】
ステップＳ２１０で、ＣＰＵ２１は、運転中のポンプ１０の合計負荷が許容値を超えたか否かを判定する。運転中のポンプ１０の合計負荷が許容値を超えた場合（ステップＳ２１０：ＹＥＳ）、ＣＰＵ２１はステップＳ２１２へ移行する。一方、運転中のポンプ１０の合計負荷が許容値を超えていない場合（ステップＳ２１０：ＮＯ）、ＣＰＵ２１はステップＳ２０８へ移行する。
【００４６】
ステップＳ２１２で、ＣＰＵ２１は、運転中の全てのポンプ１０の運転を中止させるように制御し、本中止処理を終了する。
【００４７】
以上説明したように、本実施形態に係るポンプ制御装置２０は、運転台数を取得し、運転中のポンプ１０の合計負荷が、運転台数毎に定められた余裕値を運転中のポンプ１０の定格負荷の合計から減算した値に達した場合に、停止中のポンプ１０を新たに起動させるように制御する。
【００４８】
例えば運転台数が４台の場合において、運転台数に関係なく、合計負荷が定格負荷の合計から一定値（例えば、４０ｔ／ｈ）を減算した値に達した場合に、ポンプ１０が新たに起動する場合、合計負荷が３６０ｔ／ｈに達した場合に、５台目のポンプ１０が起動する。一方、本発明を適用し、合計負荷が、運転台数毎に定められた余裕値（図３に示す例では、１０ｔ／ｈ）を定格負荷の合計から減算した値に達した場合に、ポンプ１０が新たに起動する場合、合計負荷が３９０ｔ／ｈに達した場合に、５台目のポンプ１０が起動する。したがって、本発明により、運転中のポンプ１０の合計負荷が定格負荷の合計から一定値を減算した値に達した場合に、ポンプ１０が新たに起動する場合に比較して、ポンプ１０の過剰な運転時間を削減しつつ、運転中のポンプ１０の合計負荷が許容値を超えないようにすることができる。
【００４９】
また、上記実施形態でＣＰＵがソフトウェア（プログラム）を読み込んで実行した起動処理及び中止処理を、ＣＰＵ以外の各種のプロセッサが実行してもよい。この場合のプロセッサとしては、ＦＰＧＡ（Ｆｉｅｌｄ−Ｐｒｏｇｒａｍｍａｂｌｅ  Ｇａｔｅ  Ａｒｒａｙ）等の製造後に回路構成を変更可能なＰＬＤ（Ｐｒｏｇｒａｍｍａｂｌｅ  Ｌｏｇｉｃ  Ｄｅｖｉｃｅ）、及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が例示される。また、起動処理及び中止処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より具体的には、半導体素子等の回路素子を組み合わせた電気回路である。
【００５０】
また、上記実施形態では、ポンプ制御プログラムがＲＯＭ２２又はストレージ２４に予め記憶（インストール）されている態様を説明したが、これに限定されない。プログラムは、ＣＤ−ＲＯＭ、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、及びＵＳＢ（Ｕｎｉｖｅｒｓａｌ  Ｓｅｒｉａｌ  Ｂｕｓ）メモリ等の記録媒体に記録された形態で提供されてもよい。また、プログラムは、ネットワークを介して外部装置からダウンロードされる形態としてもよい。
【符号の説明】
【００５１】
１      ポンプ制御システム
１０    ポンプ
２０    ポンプ制御装置
２０Ａ  取得部
２０Ｂ  制御部
２００  余裕値データベース
【要約】
【課題】運転中のポンプの合計負荷が、定格負荷の合計から一定値を減算した値に達した場合に、ポンプを新たに起動する場合に比較して、ポンプの過剰な運転時間を削減しつつ、運転中のポンプの合計負荷が許容値を超えないようにする。
【解決手段】ポンプ制御装置２０は、タンクからガスを払い出す複数のポンプ１０のうち、運転中のポンプ１０の台数である運転台数を取得する取得部２０Ａと、運転中のポンプ１０の合計負荷が、運転台数毎に定められた余裕値を運転中のポンプ１０の定格負荷の合計から減算した値に達した場合に、停止中のポンプ１０を新たに起動させるように制御する制御部２０Ｂと、を有する。
【選択図】図２【図１】
0006987289.tif 000002
【図２】
0006987289.tif 000003
【図３】
0006987289.tif 000004
【図４】
0006987289.tif 000005
【図５】
0006987289.tif 000006
【図６】
0006987289.tif 000007